(57)【要約】【課題】印刷物の中断時のインデックス紙の排出を考え、結果としてユーザに対して見栄えのよい印刷物を形成することができる画像形成装置を提供することを目的とする。【解決手段】印刷物の印刷の際に、印刷物を所定のまとまりに区切るために、印刷物の特定箇所にインデックス紙の挿入が可能な画像形成装置において、文書の印刷が中断された後、部が切り替わるようなモードが変更されて印刷動作が継続される場合には、不要になった前記インデックス紙を排出する。【選択図】        図１
2007316225.tif 000002
【特許請求の範囲】
【請求項１】
印刷物の印刷の際に、印刷物を所定のまとまりに区切るために、印刷物の特定箇所にインデックス紙の挿入が可能な画像形成装置において、
文書の印刷が中断された後、部が切り替わるようなモードが変更されて印刷動作が継続される場合には、不要になった前記インデックス紙を排出することを特徴とする画像形成装置。
【請求項２】
文書の印刷が中断された後、モードが変更されることなく印刷動作が継続される場合には、不要になった前記インデックス紙を排出しないことを特徴とする請求項１記載の画像形成装置。
【請求項３】
文書の印刷が中断された後、印刷動作がキャンセルされる場合には、不要になった前記インデックス紙を排出することを特徴とする請求項１または請求項２記載の画像形成装置。
【請求項４】
文書の印刷が一部目で中断されるモードが設定されていた場合には、中断時に不要になった前記インデックス紙を排出することを特徴とする請求項１または請求項２または請求項３記載の画像形成装置。
【請求項５】
文書の印刷が一部目で中断されるモードとは、試しコピーモードであることを特徴とする請求項４記載の画像形成装置。
【請求項６】
印刷物の印刷の際に、印刷物を所定のまとまりに区切るために、印刷物の特定箇所にインデックス紙の挿入が可能な画像形成装置において、
印刷中にキャンセルが発生した場合、残りの前記インデックス紙を排紙することを特徴とする画像形成装置。
【請求項７】
前記インデックス紙の排紙の際に警告表示を行うようにしたことを特長とする請求項６記載の画像形成装置。
【請求項８】
印刷物の印刷の際に、印刷物を所定のまとまりに区切るために、印刷物の特定箇所にインデックス紙の挿入が可能な画像形成装置において、
インデックス紙の排紙枚数を記憶する記憶手段を備え、
電源復帰時に、前記記憶手段に記憶されているインデックス紙の排紙枚数からインデックス紙残枚数を判断し、当該残枚数のインデックス紙を排紙するようにしたことことを特徴とする画像形成装置。
【請求項９】
前記インデックス紙の排紙の際に警告表示を行うようにしたことを特長とする請求項８記載の画像形成装置。
【発明の詳細な説明】
【技術分野】
【０００１】
本発明は、印刷物の印刷の際に、印刷物を所定のまとまりに区切るために、印刷物の特定箇所にインデックス紙の挿入が可能な画像形成装置に関する。
【背景技術】
【０００２】
近年、パーソナルコンピュータ装置の普及に伴うＤＴＰ（ＤｅｓｋＴｏｐ  Ｐｕｂｌｉｓｈｉｎｇ）の波及は家庭のみならず、オフィスでの仕事の形態を変えてきている。
【０００３】
従来の製本は、製本作業は印刷業者に依頼した上、何日も待たなければ完成した製本を手にすることはできなかった。しかし、昨今の画像形成装置は、製本に必要な周辺機器が接続できるため、表紙、章区切り、ステープル、パンチ穴開けまで自動で行うことができ、完成した製本をすぐに手に取ることができる。
【０００４】
このような画像形成装置における製本では、見栄えや読者の理解性を向上させるために、用紙を挿入することが知られている。この用紙として、通常の定形サイズの用紙にインデックスだけ突出したインデックス紙（タブ紙）を使えば、読者は目当ての章のページを容易に探し当てることができるようになる。
【０００５】
しかし、インデックス紙はサイクル数によってタブ山の位置が異なるため、印刷に必要なインデックス紙がサイクル数よりも少ない場合には、印刷終了後に中途半端な部分ににタブ山があるインデックス紙が残ってしまう。そのため、そのまま次の印刷でインデックス紙を使用する場合には、中途半端な部分ににタブ山があるインデックス紙からはじめるすることになり、見栄えが非常によくない印刷物となる。
【０００６】
この問題点の解決方法としては、特許文献１に記載されているように、余剰インデックス紙が発生する場合は、印刷物の排出トレイとは別の排出トレイに余剰インデックス紙を排出するというものがある。
【特許文献１】特開２００２−００３０６３号公報
【発明の開示】
【発明が解決しようとする課題】
【０００７】
本発明では、この従来特許において、印刷物の中断時のインデックス紙の排出を考え、結果としてユーザに対して見栄えのよい印刷物を形成することができる画像形成装置を提供することを目的とする。
【課題を解決するための手段】
【０００８】
本発明は、印刷物の印刷の際に、印刷物を所定のまとまりに区切るために、印刷物の特定箇所にインデックス紙の挿入が可能な画像形成装置において、文書の印刷が中断された後、部が切り替わるようなモードが変更されて印刷動作が継続される場合には、不要になった前記インデックス紙を排出するようにしたものである。
【０００９】
また、文書の印刷が中断された後、モードが変更されることなく印刷動作が継続される場合には、不要になった前記インデックス紙を排出しないようにしたものである。
【００１０】
また、文書の印刷が中断された後、印刷動作がキャンセルされる場合には、不要になった前記インデックス紙を排出するようにしたものである。
【００１１】
また、文書の印刷が一部目で中断されるモードが設定されていた場合には、中断時に不要になった前記インデックス紙を排出するようにしたものである。また、文書の印刷が一部目で中断されるモードとは、試しコピーモードである。
【００１２】
また、印刷物の印刷の際に、印刷物を所定のまとまりに区切るために、印刷物の特定箇所にインデックス紙の挿入が可能な画像形成装置において、印刷中にキャンセルが発生した場合、残りの前記インデックス紙を排紙するようにしたものである。また、前記インデックス紙の排紙の際に警告表示を行うようにしたものである。
【００１３】
また、印刷物の印刷の際に、印刷物を所定のまとまりに区切るために、印刷物の特定箇所にインデックス紙の挿入が可能な画像形成装置において、インデックス紙の排紙枚数を記憶する記憶手段を備え、電源復帰時に、前記記憶手段に記憶されているインデックス紙の排紙枚数からインデックス紙残枚数を判断し、当該残枚数のインデックス紙を排紙するようにしたものである。また、前記インデックス紙の排紙の際に警告表示を行うようにしたものである。
【発明の効果】
【００１４】
したがって、本発明によれば、ユーザからモードを指示されて部の切り替わった印刷物も、中途半端な部分にタブ山があるインデックス紙からはじまることなく見栄えのよい印刷物を提供することができるという効果を得る。
【発明を実施するための最良の形態】
【００１５】
以下、添付図面を参照しながら、本発明の実施の形態を詳細に説明する。
【００１６】
図１は、本発明の一実施例にかかる画像形成装置の構成例を示している。
【００１７】
同図において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００１８】
また、この画像形成装置は、一枚の原稿を給送完了により原稿枚数をカウントアップするカウント機能を有している。
【００１９】
給送された原稿は読み取りユニット５０によってコンタクトガラス６上の原稿の画像データを読み取り後、読み取りが終了した原稿は、給送ベルト４および排送ローラ５によって排出される。
【００２０】
さらに、原稿セット検知７にて原稿台２に次の原稿が有ることを検知した場合、前原稿と同様にコンタクトガラス６上に給送される。
【００２１】
給送ローラ３、給送ベルト４、排送ローラ５は搬送モータ２６によって駆動される。
【００２２】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００２３】
読み取りユニット５０にて読み込まれた画像データは、書き込みユニット５７からのレーザーによって感光体１５に書き込まれ、現像ユニット２７を通過することによってトナー像が形成される。
【００２４】
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２５】
後処理装置のフィニシャ１００は、本体の排紙ローラ１９によって搬送された転写紙を、通常、排紙ローラ１０２方向、あるいは、ステープル処理部方向へ導くことができる。
【００２６】
切り替え板１０１を上に切り替えることにより、搬送ローラ１０３を経由して通常排紙トレイ１０４側に排紙することができる。
【００２７】
また、切り替え板１０１を下方向に切り替えることで、搬送ローラ１０５，１０７を経由して、ステープル台１０８へ搬送することができる。
【００２８】
ステープル台１０８に積載された転写紙は、一枚排紙されるごとに紙揃え用のジョガー１０９によって、紙端面が揃えられ、一部のコピー完了とともにステープラ１０６によって綴じられる。ステープラ１０６で綴じられた転写紙群は自重によって、ステープル完了排紙トレイ１１０に収納される。
【００２９】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００３０】
転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦、両面給紙ユニット１１１にストックする。
【００３１】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。
【００３２】
この様に転写紙の両面に画像を作成する場合に両面給紙ユニット１１１は使用される。また、画像の載った転写紙の裏面に印字を行なう際にも両面給紙ユニット１１１を用いて転写紙の裏表を変える。
【００３３】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００３４】
図２は、操作部３０の構成例を示した図である。
【００３５】
操作部３０には、液晶タッチパネル３１、テンキー３２、クリア／ストップキー３３、プリントキー３４、予熱キー３５、リセットキー３６、初期設定キー３７があり、液晶タッチパネル３１には、各種機能キーおよび画像形成装置の状態を示すメッセージなどが表示される。
【００３６】
オペレータが液晶タッチパネル３１に表示されたキーにタッチすることで、選択された機能を示すキーが黒く反転する。また、機能の詳細を指定しなければならない場合（例えばページ印字の種類等）はキーにタッチすることで詳細機能の設定画面が表示される。このように、液晶タッチパネルは、ドット表示器を使用している為、その時の最適な表示をグラフィカルに行なうことが可能である。
【００３７】
初期設定キー３７を押すことで、機械の初期状態を任意にカスタマイズすることが可能である。機械が収納している用紙サイズを設定したり、コピー機能のリセットキーを押したときに設定される状態を任意に設定したりすることが可能である。
【００３８】
また、一定時間操作が無いときに優先して選択されるアプリケーション等も選択すること、国際エネルギースター計画に従った低電力への移行時間の設定や、オートオフ／スリープモードへの移行する時間を設定することが可能である。
【００３９】
予熱キー３５を押すと、機械は待機状態から、電力低減状態に移行し、定着温度を低下させたり、操作部の表示を消灯したりする。予熱状態は、国際エネルギースター計画で言う、低電力状態を意味している。また、予熱状態、オフ状態／スリープ状態を解除し、待機状態に移行させるには、この予熱キーを再度押下する。
【００４０】
コピーキー３８の押下により、コピー機能の使用が可能である。そのほか、コピーサーバーキー３９は、既存の蓄積画像データの編集（コピーモード設定、印刷、削除）を行なうときに使用する。スキャナアプリキー４１は原稿を機器内部の記憶装置に蓄積するとき、スキャナより読み取った入力画像や蓄積されている画像データなどを外部に送信するとき等に使用する。
【００４１】
図３は操作部３０の液晶タッチパネル３１の表示例を示した図である。
【００４２】
オペレータが液晶タッチパネル３１に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行なう事が可能である。
【００４３】
図３において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。また、給紙トレイ数に対応した給紙トレイ状態を示し、手動で給紙段を設定するためのキーが給紙段分表示されている。
【００４４】
また、給紙トレイ数に対応した給紙トレイ状態を示し、手動で給紙段を設定するためのキーが給紙段分表示されている。
【００４５】
図４は、メインコントローラを中心に、制御装置を図示したものである。
【００４６】
メインコントローラ２０は画像形成装置全体を制御する。
【００４７】
メインコントローラ２０には、オペレータに対する表示、オペレータからの機能設定入力制御を行なう操作部３０、スキャナの制御、原稿画像を画像メモリに書き込む制御、画像メモリからの作像を行なう制御等を行なう画像処理ユニット（ＩＰＵ）４９、原稿自動送り装置（ＡＤＦ）１、等の分散制御装置が接続されている。各分散制御装置とメインコントローラ２０は必要に応じて機械の状態、動作司令のやりとりを行っている。
【００４８】
また、紙搬送等に必要なメインモータ２５、各種クラッチ２１〜２４も接続されている。
【００４９】
ここで、図１に戻り、画像形成装置の原稿読み取りから、画像の書き込みまでを説明する。
【００５０】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。
【００５１】
露光ランプ５１および第１ミラー５２は図示しない第１キャリッジ上に固定され、第２ミラー５５および第３ミラー５６は図示しない第１キャリッジ上に固定されている。原稿像を読み取るときには、光路長が変わらないように、第１キャリッジ第２キャリッジとが２対１の相対速度で機械的に操作される。
【００５２】
この光学走査系は、図示しないスキャナ駆動モータにて駆動される。原稿画像は、ＣＣＤイメージセンサ５４によって読み取られ、電気信号に変換されて処理される。
【００５３】
書き込みユニット５７はレーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。
【００５４】
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００５５】
図５は、画像処理ユニット（ＩＰＵ）４９の内部構成の一例を示している。
【００５６】
露光ランプ５１から照射された光の反射を、ＣＣＤイメージセンサ５４にて光電変換し、Ａ／Ｄコンバータ６１にてデジタル信号に変換する。
【００５７】
デジタル信号に変換された画像信号は、シェーディング補正６２がなされた後、画像処理部６３にてＭＴＦ補正、γ補正等がなされる。
【００５８】
その後、印字合成部７１を介して入力した画像データを変倍回路７６へ、或いは、画像メモリコントローラ６５へ切り替えて供給するものであり、変倍回路７７を経由した画像信号は変倍率に合せて拡大縮小され、書き込みユニット５７に送られる。
【００５９】
一方、画像メモリコントローラ６５とセレクタ６４間は、双方向に画像信号を入出力可能な構成となっている。
【００６０】
なお、図５には特に明示していないが、ＩＰＵ４９には読み取りユニット５０から入力される画像データ以外にもＩ／Ｏポート６７を介して外部から供給される画像データ、例えば、パーソナルコンピュータ等のデータ処理装置から入力したデータも処理できるよう、複数データの入出力選択を行なう機能を有しているものとする。
【００６１】
また、画像メモリコントローラ６５等への設定や、読み取り部５０書き込み部５７の制御を行なうＣＰＵ６８、およびそのプログラムやデータを格納するＲＯＭ６９、ＲＡＭ７０、ＮＶ−ＲＡＭ７４を備えている。
【００６２】
さらに、ＣＰＵ６８は、メモリコントローラ６５を介して、画像メモリ６６のデータの書き込み、読み出しが行なえる。原稿画像で画像メモリコントローラ６５へ送られた画像は、画像メモリコントローラ内にある画像圧縮装置によって画像データを圧縮した後、画像メモリ６６に送られる。
【００６３】
ここで、画像圧縮する理由は、次のようなものである。最大画像サイズ分の２５６階調のデータをそのまま画像メモリ６６に書き込むことも可能であるが、１枚の原稿画像で画像メモリを大変多く使用する。そこで、画像圧縮を行なうことで、限られた画像メモリを有効に利用できるようにしているのである。
【００６４】
また、一度に多くの原稿画像データを記憶することができるため、ソート機能として、貯えられた原稿画像イメージデータをページ順に出力することができる。
【００６５】
この場合、画像を出力する際に画像メモリ６６のデータをメモリコントローラ６５内の伸長装置で順次伸長しながら出力を行なう。
【００６６】
このような機能は、一般に「電子ソート」と呼ばれている。また画像メモリの機能を利用して、複数枚の原稿画像を、画像メモリの転写紙一枚分のエリアを分割したエリアに順次読み込むことも可能となる。
【００６７】
例えば、４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。
【００６８】
画像メモリ６６の画像はＣＰＵ６８からアクセス可能な構成となっている。このため画像メモリの内容を加工することが可能であり、例えば画像の間引き処理、画像の切り出し処理等が行なえる。加工には、メモリコントローラ６５のレジスタにデータを書き込むことで画像メモリの処理を行なうことができる。
【００６９】
加工された画像は再度画像メモリに保持される。画像メモリ６６は、処理を行なう画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。
【００７０】
これにより、エリア１に画像を入力（ライト）する間に、エリア２より画像を出力（リード）するという動作が可能になる。
【００７１】
画像メモリ６６は、多くの画像データを収納するためハードディスクを別に設けることもある。ハードディスクを用いることにより、外部電源が不用で永久的に画像を保持できる特徴もある。複数の定型の原稿（フォーマット原稿）をスキャナで読み込み保持するためには、このハードディスクが用いられるのが一般的である。
【００７２】
書き込み、読み出しには本体の作像やスキャナからの画像書き込みに対し処理速度の差を吸収する為に、画像メモリに一旦記憶され処理される。また、画像記憶装置からのデータを書き込みユニット５７に送る際は、画像メモリ６６に一旦記憶し、書き込みユニット５７に送ることになる。このように画像を記憶する装置の画像メモリ６６、ＨＤ７５、スキャナ画像、書き込みユニットに送る画像の入出力は全てメモリコントローラ６５によって画像パスを決められる。
【００７３】
このように、ＣＰＵ６８が画像データの入力、出力を決めることでＣＰＵに接続されたメモリコントローラ６５が画像の流れを切り替えることが可能となる。
【００７４】
ここで、図６（ａ）〜（ｆ）を用いて、セレクタ６４における１ページ分の画像信号について説明する。
【００７５】
フレームゲート信号／ＦＧＡＴＥ（同図（ｂ））は、１ページの画像データの副走査方向の有効期間を表している。主走査同期信号／ＬＳＹＮＣ（同図（ａ））は、１ライン毎の主走査同期信号であり、この信号が立ち上がった後の所定クロックで、画像信号が有効となる。主走査方向の画像信号が有効であることを示す信号が、ラインゲート信号／ＬＧＡＴＥ（同図（ｆ））である。
【００７６】
これらの信号は、画素クロックＶＣＬＫ（同図（ｄ））に同期しており、画素クロックＶＣＬＫの１周期に対し、１画素８ビット（２５６階調）のデータが送られてくる。本実施例では、転写紙への書込密度４００ｄｐｉ、最大画素数は、主走査４８００画素、副走査６８００画素である。また、本実施例では、画像データは値２５５に近いほど白画像になるとする。
【００７７】
なお、印字機能は図５に示すように、画像メモリ６６の後段で行ない（印字合成部７１）転写紙毎に印字を付加する。
【００７８】
次に、印刷物の特定箇所にインデックス紙の挿入が可能なモードについて説明する。
【００７９】
図３において、表紙／合紙キー３０１は、表紙や合紙挿入などのモードの設定を行うためのモードであり、このキーを押下すると図７のような画面が表示される。
【００８０】
ここで、表紙モードとは、原稿の１ページ目を表紙用の用紙を挿入するおもて表紙と、１ページ目の原稿と最終ページの原稿を表紙用の用紙を挿入する両表紙の２種類あり、表紙用の用紙は図９に示されるような表紙トレイの設定と、図８に示されるようなトレイの用紙種類設定によって順番性のあるインデックス紙を指定することが可能である。また、インデックス紙自体にコピーを行うように設定することも可能である。
【００８１】
ここで、トレイの用紙種類設定でインデックス紙を指定した場合には、インデックス紙のサイクル数をユーザに入力してもらう。
【００８２】
章区切りモードは、ユーザに各章の先頭ページを入力させることで、章の変わり目に用紙を挿入するモードである。また、合紙モードは、原稿のページが変わるごとに、コピーに合紙用紙を挿入するモードである。
【００８３】
また、図３において、コピー仕切りキー３０２は、コピーの区切りに仕切り紙を挿入するモードである。
【００８４】
図示していないが、その他指定した範囲のページを指定した用紙に印刷する指定用紙モードや、指定用紙を挿入する指定挿入モードのようにユーザが紙を指定して挿入するモードにはいくつか種類がある。これらのモードは、それぞれ表紙モードと同様に、図９，１０等のように示されるようなそれぞれのモードで使用する用紙のトレイの設定と、図８に示されるようなトレイの用紙種類設定によって順番性のあるインデックス紙を指定することが可能である。
【００８５】
また、インデックス紙自体にコピーを行うように設定することも可能である。ここで、トレイの用紙種類設定でインデックス紙を指定した場合には、インデックス紙のサイクル数をユーザに入力してもらう。
【００８６】
これらの設定方法は、例えば操作部３０上に専用のキーが設けられてもよいし、初期設定で指定されるようにしてもよい。
【００８７】
インデックス紙を使用して印刷を行なう場合、ソートコピーでは部毎に端数となるインデックス紙を自動排出し、非ソートコピー時はジョブが終了した時点で、１サイクルに対する端数のインデックス紙を自動排出する。（ジョブ終了でインデックス紙のタブ山を先頭にする。）例として、５サイクル単位でセットされたインデックス紙をセットした場合で、１部あたり３枚のインデックス紙を使用した章区切りコピーの出力結果を図１１に示す。
【００８８】
以上の構成で、原稿の印刷がはじまると、ユーザよりカスタマイズされたモードに従って画像が形成される。このとき部あたりのインデックス紙使用量、またユーザから指定されたインデックス紙のサイクル数はいずれも図５のＲＡＭ７０などの揮発メモリに一時的に保存される。
【００８９】
その後、印刷が中断され、操作部３０を通して印刷の継続指示が行われたときのフローチャートを図１２，１３に示す。
【００９０】
おもて表紙、うら表紙・章区切りのいずれかのモードを組み合わせた場合に、表紙や章区切り紙等としてインデックス紙に指定されている給紙トレイが設定されている状態で（ステップＳ２０１の結果がＹＥＳ）、再開する印刷モードが、両面モード変更など、部の切替わるモードが変更されていた場合には（ステップＳ０２の結果がＹＥＳ）、設定されたインデックス紙挿入枚数と、設定されたインデックス紙の枚数とから、余剰インデックス紙が発生するか否かを判定し、余剰インデックス紙が発生する場合は（ステップＳ２０３の結果がＹＥＳ）、図１記載のいずれかのトレイより余剰インデックス紙を排紙する（ステップＳ２０４）。
【００９１】
中断後、部の切替わるモードが変更されていない場合には（ステップ２０１，２０２，２０３の結果がＮＯ）、余剰インデックス紙の排紙は行わない。
【００９２】
また、印刷が中断され、ジョブのキャンセルが行われた場合や試しコピー中断時にも、部が切替わるため、同様に余剰インデックス紙が発生するか否かを判定し、余剰インデックス紙が発生する場合は、図１記載のいずれかのトレイより余剰インデックス紙を排紙する。それぞれの場合のフローチャートを図１４，１５に示す。
【００９３】
このようにして、本実施例では、文書の印刷が中断された後、部が切り替わるようなモードが変更されて印刷動作が継続される場合に、不要になった挿入用紙インデックス紙を排出することで、ユーザからモードを指示されて部の切り替わった印刷物も、中途半端な部分ににタブ山があるインデックス紙からはじまることなく見栄えのよい印刷物を提供することができる。
【００９４】
また、文書の印刷が中断された後、モードが変更されることなく印刷動作が継続される場合には、不要になった挿入用紙インデックス紙を排出しないことで、インデックスのタブ山が順番に整った印刷物を出力し、ユーザに対して見栄えのよい印刷物を提供することができる。
【００９５】
また、文書の印刷が中断された後、印刷動作がキャンセルされる場合には、不要になった挿入用紙インデックス紙を排出することで、インデックスのタブ山が順番に整った印刷物を出力し、ユーザに対して見栄えのよい印刷物を提供することができる。
【００９６】
また、文書の印刷が一部目で中断されるモードが設定されていた場合には、中断時に不要になった挿入用紙インデックス紙を排出することで、インデックスのタブ山が順番に整った印刷物を出力し、ユーザに対して見栄えのよい印刷物を提供することができる。
【００９７】
また、文書の印刷が一部目で中断されるモードとは、試しコピーモードであることで、試しコピー後の印刷物がインデックスのタブ山が順番に整ったものとなり、ユーザに対して見栄えのよい印刷物を提供することができる。
【００９８】
ところで、仕切り紙挿入（ｎ部ごと／ジョブごと）や合紙モードで、仕切り紙や合紙としてインデックス紙を使用する場合、ジョブの終了時点で、１サイクルに対する端数のインデックス紙を自動排紙する。（ジョブ終了でインデックス紙のタブ山を先頭にする。）例として、ソートコピー＋仕切り紙挿入（１部ごと）を原稿２枚で４部コピー出力した場合の出力結果を図１６に示す。
【００９９】
また、インデックス紙へのコピーを行う場合、ソートコピー時は部毎に端数となるインデックス紙を自動排紙し、非ソートコピー時はジョブが終了した時点で、１サイクルに対する端数のインデックス紙を自動排紙する。図１１に示したソートコピー時において、原稿２枚を２部コピーした場合の出力結果を図１７に示す。
【０１００】
この場合、インデックス紙を使用する印刷がキャンセルされると、図１４と同様な処理が実行される。すなわち、インデックス紙を使用するモードに設定されていれば（Ｓ３０１の結果がＹＥＳ）、インデックス紙の給紙枚数と排紙枚数の関係から、不要なインデックス紙が存在するかを判定する（ステップＳ１０２）。
【０１０１】
不要なインデックス紙が機内、もしくは給紙トレイに存在すれば不要となるインデックス紙を排紙する（ステップＳ１０３）。
【０１０２】
このときのキャンセル理由として、省エネモード、ＳＣ発生によるものを含み、また操作部からのキャンセル指示や、リモート操作によるキャンセル指示など、印刷動作を中止しなければいけない要因に対しても同様の振る舞いが適応できる。
【０１０３】
また、インデックス紙を排紙する際、排紙枚数をパネル表示や警告音でユーザに知らせ、ユーザ自身に不要インデックス紙を排紙させるように切り替えることも可能である。
【０１０４】
図１９は印刷動作中での電源断が発生し、電源再投入時における処理の一例を示すフローチャート図である。
【０１０５】
印刷動作中（ステップＳ５０１）、部数の終了や章区切りなど、インデックス紙を排紙する必要があれば（ステップ５０２の結果がＹＥＳ）、不要となるインデックス紙の枚数を判断し、不揮発メモリに書き込む（ステップＳ５０３）。
【０１０６】
不要インデックスの枚数が１以上であれば（ステップＳ５０４の結果がＹＥＳ）、不要となるインデックス紙を排紙し（ステップＳ５０５）。排紙した時点での不要インデックス枚数を不揮発メモリへ書き込む（ステップＳ５０６）。
【０１０７】
このステップＳ５０１〜Ｓ５０６で電源断が発生した場合、図２０に示すように、電源投入時に、初期化処理（ステップＳ６０１）を行い、不揮発メモリから不要インデックス紙の枚数を読み込む（ステップＳ６０２）。読み出した枚数から不要インデックス紙が存在するか判断し（ステップＳ６０３）、存在すれば、不要なインデックス紙を排紙する（ステップＳ６０４）。
【０１０８】
その後ユーザからの要求を受け付け可能とする（ステップＳ６０５）。
【０１０９】
また、電源投入時に自動でインデックス紙の排紙を行わず、不要インデックス紙の存在をパネル表示や警告音でユーザに知らせ、排紙を確認させることや、またユーザ自身に不要インデックス紙を排紙させるように切り替えることも可能である。
【０１１０】
したがって、本実施例では、文書の印刷がキャンセルした場合に、不要になった挿入用紙インデックス紙を排紙することで、次の新たなジョブで実行される印刷物に対して、中途半端な部分にタブ山があるインデックス紙から使用されることの無い、見栄えのよい印刷物を提供することができる。
【０１１１】
また、ジョブ終了時に不要インデックス紙を自動排紙する／しないの選択画面を表示し、排紙を行うことをやめるか選択できるようにすることで、印刷物に対してのタブ位置を気に留めないユーザに対して、紙の無駄を減らすことができる。
【０１１２】
また、インデックスス紙を使用した印刷動作中に主電源による電源断が発生した場合、不要インデックス紙の排紙が正常に行われない可能性がある。電源復帰時に不要インデックス紙を排紙することで、起動後に実行される印刷動作に対して中途半端なタブ位置を持つインデック紙から使用されることを防ぎ、結果としてユーザに対して見栄えのよい印刷物を提供することができる。
【０１１３】
また、電源投入時、不要インデックス紙の存在と排紙することをユーザに知らせることで、ユーザの指示を受ける前に不要インデックス紙の排紙を行われることを防ぎ、ユーザの混乱を防ぐことができる。
【図面の簡単な説明】
【０１１４】
【図１】本発明の一実施例にかかる画像形成装置の構成例を示した概略構成図。
【図２】操作部３０の構成例を示した概略構成図。
【図３】操作部３０の液晶タッチパネル３１の表示の一例を示した概略図。
【図４】メインコントローラを中心に、制御装置の構成の一例を示したブロック図。
【図５】画像処理ユニット（ＩＰＵ）４９の内部構成の一例を示したブロック図。
【図６】セレクタ６４における１ページ分の画像信号を説明するための波形図。
【図７】モード設定の表示画面の一例を示した概略図。
【図８】用紙種類設定の表示画面の一例を示した概略図。
【図９】用紙トレイ設定の表示画面の一例を示した概略図。
【図１０】合紙トレイ設定の表示画面の一例を示した概略図。
【図１１】表紙／章区切りモード使用時における不要なインデックス紙の発生について例示した概略図。
【図１２】印刷中断時の処理の一例を示したフローチャート。
【図１３】印刷継続依頼発生時の処理の一例を示したフローチャート。
【図１４】印刷キャンセル依頼発生時の処理の一例を示したフローチャート。
【図１５】試しコピー一部完了時の時の処理の一例を示したフローチャート。
【図１６】仕切紙挿入／合紙モード使用時における不要なインデックス紙の発生について例示した概略図。
【図１７】インデックス紙コピー時における不要なインデックス紙の発生について例示した概略図（ソート時）。
【図１８】インデックス紙コピー時における不要なインデックス紙の発生について例示した概略図（非ソート時）。
【図１９】印刷動作開始時の処理の一例を示したフローチャート。
【図２０】電源投入時の処理の一例を示したフローチャート。
【符号の説明】
【０１１５】
２０  メインコントローラ
３０  操作部
【図１】
2007316225.tif 000003
【図２】
2007316225.tif 000004
【図３】
2007316225.tif 000005
【図４】
2007316225.tif 000006
【図５】
2007316225.tif 000007
【図６】
2007316225.tif 000008
【図７】
2007316225.tif 000009
【図８】
2007316225.tif 000010
【図９】
2007316225.tif 000011
【図１０】
2007316225.tif 000012
【図１１】
2007316225.tif 000013
【図１２】
2007316225.tif 000014
【図１３】
2007316225.tif 000015
【図１４】
2007316225.tif 000016
【図１５】
2007316225.tif 000017
【図１６】
2007316225.tif 000018
【図１７】
2007316225.tif 000019
【図１８】
2007316225.tif 000020
【図１９】
2007316225.tif 000021
【図２０】
2007316225.tif 000022